【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
目標サイトと関連付けて提案サイトを提供するのを容易にする方法を実行するためのコンピューター実行可能命令が具体化されている１つ又は複数のコンピューター記憶媒体であって、前記方法が、
ユーザーのウェブ・ブラウズ活動と関連のあるウェブ・ブラウズ・データを入手するステップであって、前記ウェブ・ブラウズ・データが、ウェブ・ブラウズしたウェブサイトを特定する少なくとも１つのサイト識別子を含む、ステップと、
前記ウェブ・ブラウズ活動に対応するユーザーまたはユーザー・デバイスを特定するユーザー識別子と関連付けて、前記ウェブ・ブラウズ・データを格納するステップと、
ユーザーが秘密データにしておこうとする前記ウェブ・ブラウズ・データの少なくとも一部を認識し、弱いサイト識別子を発生し、前記秘密データと関連のある前記格納されたサイト識別子を、前記弱いサイト識別子と置き換えるステップと、
前記格納したウェブ・ブラウズ・データを提案エンジンに伝達するステップであって、前記提案エンジンが、ユーザーによって見られた目標ウェブサイトと同様である少なくとも１つの提案ウェブサイトを提供し、前記ウェブ・ブラウズ・データが、前記ユーザーによって見られた前記目標ウェブサイトに対する前記少なくとも１つの提案ウェブサイトを特定するために用いられる、ステップと、
を備えている、１つ又は複数のコンピューター記憶媒体。
【請求項２】
請求項１記載の１つ又は複数のコンピューター記憶媒体において、前記ユーザー識別子が、全地球一意識別子および暗号識別子を用いて自動的に発生される秘密ユーザー識別子である、１つ又は複数のコンピューター記憶媒体。
【請求項３】
請求項１記載の１つ又は複数のコンピューター記憶媒体であって、更に、前記秘密データと関連のある前記格納されているサイト識別子を削除するステップを備えている、１つ又は複数のコンピューター記憶媒体。
【請求項４】
請求項１記載の１つ又は複数のコンピューター記憶媒体において、前記提案エンジンが、前記ユーザー識別子と関連付けて前記ウェブ・ブラウズ・データをデータベースに格納する、１つ又は複数のコンピューター記憶媒体。
【請求項５】
請求項１記載の１つ又は複数のコンピューター記憶媒体において、提案サイトを受信する指示をユーザーが与えたときに、前記目標ウェブサイトに対する前記少なくとも１つの提案ウェブサイトを提供するために、前記提案エンジンによって受信された前記ウェブ・ブラウズ・データが、提案サイト要求を通じて前記提案エンジンに伝達された最新のウェブ・ブラウズ・データと組み合わせて用いられる、１つ又は複数のコンピューター記憶媒体。
【請求項６】
請求項１記載の１つ又は複数のコンピューター記憶媒体において、前記ウェブ・ブラウズ・データが、ユーザー要求に基づいてサイト提案機構が作動した時に入手される、１つ又は複数のコンピューター記憶媒体。
【請求項７】
請求項１記載の１つ又は複数のコンピューター記憶媒体であって、更に、
前記少なくとも１つの提案ウェブサイトを提供する指示をユーザーから受信するステップと、
１組の最近訪問したウェブサイトおよび１組の最近削除したウェブサイトを含む提案サイト要求を発生するステップと、
前記提案サイト要求を前記提案エンジンに伝達するステップであって、前記１組の最近訪問したウェブサイトおよび１組の最近削除したウェブサイトが、前記目標ウェブサイトに対する前記少なくとも１つの提案ウェブサイトを決定するために用いられる、ステップと、
を備えている、１つ又は複数のコンピューター記憶媒体。
【請求項８】
目標サイトと関連付けて提案サイトを提供するのを容易にするコンピューター化方法であって、
ユーザーのウェブ・ブラウズ活動と関連のあるウェブ・ブラウズ・データを受信するステップであって、前記ウェブ・ブラウズ・データが、ウェブ・ブラウズしたウェブサイトを特定する複数のサイト識別子を含み、前記複数のサイト識別子のうちの少なくとも１つが、秘密でないデータに対して強いサイト識別子を備え、前記複数のサイト識別子のうちの少なくとも１つが、秘密データに対して弱いサイト識別子を備えている、ステップと、
前記ウェブ・ブラウズ・データを、ユーザーと関連付けてデータ・ストアに格納するステップと、
ユーザーと関連のある最新のウェブ・ブラウズ・データを、１つ又は複数の提案ウェブサイトを要求する提案ウェブサイト要求を通じて受信するステップであって、前記最新のウェブ・ブラウズ・データが、前記ユーザーによって見られた少なくとも１つの目標ウェブサイトを含む、ステップと、
前記少なくとも１つの目標ウェブサイトの各々と関連のある前記１つ又は複数の提案ウェブサイトを特定するために、前記受信した少なくも１つの目標ウェブサイトおよび前記受信したウェブ・ブラウズ・データを用いるステップであって、前記１つ又は複数の提案ウェブサイトが、前記対応する目標ウェブサイトに関係するかまたはこれと同様である、ステップと、
前記１つ又は複数の提案ウェブサイトを、前記対応する目標ウェブサイトと関連付けて提示するステップと、
を備えている、コンピューター化方法。
【請求項９】
請求項８記載のコンピューター化方法において、前記ウェブ・ブラウズ・データが、周期的にユーザー・デバイスから伝達される、コンピューター化方法。
【請求項１０】
請求項８記載のコンピューター化方法において、前記最新のウェブ・ブラウズ・データが、前記１つ又は複数の提案ウェブサイトを見ることをユーザーが要求したことに応答して、ユーザーと関連のあるユーザー・デバイスから受信される、コンピューター化方法。
【請求項１１】
請求項８記載のコンピューター化方法において、前記最新のウェブ・ブラウズ・データが、秘密データの指示を含む、コンピューター化方法。
【請求項１２】
請求項１１記載のコンピューター化方法において、前記最新のウェブ・ブラウズ・データが、前記データ・ストアに格納されているウェブ・ブラウズ・データを更新するために用いられる、コンピューター化方法。
【請求項１３】
請求項８記載のコンピューター化方法において、前記少なくとも１つの目標ウェブサイトが、少なくとも１つの最近見たウェブサイト、少なくとも１つの頻繁に見るウェブサイト、またはその組み合わせを含む、コンピューター化方法。
【請求項１４】
請求項８記載のコンピューター化方法において、前記１つ又は複数の提案ウェブサイトが、前記ユーザーによって現在見られているウェブサイトと関係付けて提示される、コンピューター化方法。
【請求項１５】
請求項８記載のコンピューター化方法において、前記１つ又は複数の提案ウェブサイトが、前記提案ウェブサイトを提供する専用のウェブサイトまたはウェブページと関係付けて提示される、コンピューター化方法。
【請求項１６】
請求項８記載のコンピューター化方法において、前記データ・ストアが、複数のユーザーに関連付けられたウェブ・ブラウズ・データを格納するために用いられる、コンピューター化方法。
【請求項１７】
目標サイトと関連付けて提案サイトを提供するのを容易にする方法を実行するためのコンピューター実行可能命令が具体化されている１つ又は複数のコンピューター記憶媒体であって、前記方法が、
複数のウェブ・ブラウザ・ユーザーのウェブ・ブラウズ活動と関連のあるウェブ・ブラウズ・データを受信するステップであって、前記ウェブ・ブラウズ・データが、ウェブ・ブラウズしたウェブサイトまたはウェブページを特定するサイト識別子を含み、前記サイト識別子のうちの少なくとも１つが、秘密でないデータに対して強いサイト識別子を備え、前記サイト識別子のうちの少なくとも１つが、秘密データに対して弱いサイト識別子を備えている、ステップと、
前記ウェブ・ブラウズ・データを、ユーザー識別子と関連付けてデータ・ストアに格納するステップと、
ユーザーが１つ又は複数の提案サイトを見ることを望む指示を与えたことに応答して、ユーザー・デバイスから伝達された提案サイト要求を受信するステップであって、前記提案サイト要求が、前記ユーザーと関連のある最新のウェブ・ブラウズ・データを含み、前記最新のウェブ・ブラウズ・データが、ユーザーまたはユーザー・デバイスに付随するユーザー識別子を含み、１つ又は複数の目標サイトが、最近見たサイト、および１つ又は複数の最近削除したサイトの指示を含む、ステップと、
前記１つ又は複数の目標サイトの各々に対応する１つ又は複数の提案サイトを特定するステップであって、前記１つ又は複数の提案サイトが、前記対応する目標サイトに関係するかまたはこれと同様であり、前記データ・ストアに格納されているウェブ・ブラウズ・データおよび前記提案サイト要求において伝達された最新ウェブ・ブラウズ・データが、対応する目標サイト毎に１つ又は複数の提案サイトを特定するために利用される、ステップと、
前記１つ又は複数の提案サイトを、前記対応する目標サイトと関連付けてユーザーに提示するステップと、
を備えている、１つ又は複数のコンピューター記憶媒体。